(57)【要約】【課題】ガスコンロにおける火災発生を未然に防ぐ共に、火災が発生したとしてもこれを早期かつ確実に検出する機能を有するレンジフードを提供すること。【解決手段】ガスコンロ２の上方に配置されるレンジフード１であって、ガスコンロ２にて使用されている炎を検出する紫外線式炎センサ１０と、火災による炎を検出する赤外線式炎センサ１１と、紫外線式炎センサ１０、及び又は、赤外線式炎センサ１１が検出する情報に基づいて所定の処理を行う制御部１６と、を備える。【選択図】図１
2008215718.tif 000002
【特許請求の範囲】
【請求項１】
ガスコンロの上方に配置されるレンジフードであって、
前記ガスコンロにて使用されている炎を検出する第１のセンサと、
火災による炎を検出する第２のセンサと、
前記第１のセンサ、及び又は、前記第２のセンサが検出する情報に基づいて所定の処理を行う処理手段と、
を備えることを特徴とするレンジフード。
【請求項２】
前記第１のセンサは紫外線式炎センサであり、前記第２のセンサは赤外線式炎センサであること、
を特徴とする請求項１に記載のレンジフード。
【請求項３】
前記第１のセンサは、前記ガスコンロのバーナー近傍の領域を第１の監視領域として炎を検出し、
前記第２のセンサは、前記第１の監視領域の上方にある領域を第２の監視領域として炎を検出すること、
を特徴とする請求項１または２に記載のレンジフード。
【請求項４】
前記処理手段は、前記第１のセンサによる炎の検出が所定時間継続した場合、及び又は、前記第２のセンサによる炎の検出があった場合に、所定の処理を行うこと、
を特徴とする請求項１から３のいずれか一項に記載のレンジフード。
【請求項５】
前記処理手段は、警報処理を行うこと、
を特徴とする請求項１から４のいずれか一項に記載のレンジフード。
【請求項６】
当該レンジフードと前記ガスコンロとの間で通信処理を行う通信手段を備え、
前記処理手段は、前記通信手段を介してガスコンロの消火処理を行うこと、
を特徴とする請求項１から５のいずれか一項に記載のレンジフード。
【発明の詳細な説明】
【技術分野】
【０００１】
本発明は、ガスコンロの上方に設置されるレンジフードであって、火災の発生を監視する機能を有するレンジフードに関する。
【背景技術】
【０００２】
調理中、特に、コンロ上にて食用油を用いて調理を行っている場合に、その食用油への引火に起因する火災によって、例年大きな損害が発生している。この様な火災の発生要因は、主に調理者が調理中にコンロから離れた際にコンロの火を消し忘れたことによるものであり、人為的なミスと言える。調理中にコンロを離れる際に火を消すことの重要性は認識されていても、火の消し忘れというミスを根絶することはできていないのが実情である。
【０００３】
これに対して、人為的なミスを補う手段として、従来、コンロの上方に設置されているレンジフードに火災発生を検出するセンサを取り付け、火災発生を検出した場合には警報の発報やコンロへのガス遮断を行うことが提案されている。
【０００４】
例えば、特許文献１には、電磁誘導加熱調理器の上方に位置するレンジフードに火災検出ユニットを設け、炎を一定時間検出した場合に、警報の発報を行うと共に電磁誘導加熱器への通電停止を行う防火連動方法が記されている。
【０００５】
あるいは、ガスコンロの上方に位置するレンジフードに熱を感知するセンサを設け、このセンサで出火を検出した場合に、ガスコンロへのガス供給を遮断させると共に警告を行うシステムキッチン用ガスコンロ火災自動消火装置なども提案されている。
【０００６】
【特許文献１】特開２００５−３００１１４号公報
【発明の開示】
【発明が解決しようとする課題】
【０００７】
しかしながら、このような火災発生を検出するレンジフードでは、次のような問題があった。すなわち、特許文献１に記載の防火連動方法は電磁誘導加熱調理器を対象としており、炎を一定時間検出した時点で火災発生と判断してしまうため、調理時に炎を使用するガスコンロに対しては適用することができなかった。
【０００８】
また、ガスコンロ火災自動消火装置については、火災の検出手段として熱感知センサを用いているため、火災発生後にセンサに熱が到達して火災が検出されるまでに相当の時間を要する可能性が高く、火災の早期検出が困難であった。
【０００９】
さらに、これら従来の技術は既に発生してしまった火災の検出を目的とするものであって、コンロの火の消し忘れ等火災に至る可能性の高い状況が発生した時点で何らかの処理を行うものではなく、火災の予防に対しては十分な効果を有していなかった。
【００１０】
本発明は、上記に鑑みてなされたものであって、ガスコンロにおける火災発生を未然に防ぐ共に、火災が発生したとしてもこれを早期かつ確実に検出する機能を有するレンジフードを提供することを目的とする。
【課題を解決するための手段】
【００１１】
上述した課題を解決し、目的を達成するために、請求項１に記載のレンジフードは、ガスコンロの上方に配置されるレンジフードであって、前記ガスコンロにて使用されている炎を検出する第１のセンサと、火災による炎を検出する第２のセンサと、前記第１のセンサ、及び又は、前記第２のセンサが検出する情報に基づいて所定の処理を行う処理手段と、を備えることを特徴とする。
【００１２】
また、請求項２に記載のレンジフードは、請求項１に記載のレンジフードにおいて、前記第１のセンサは紫外線式炎センサであり、前記第２のセンサは赤外線式炎センサであること、を特徴とする。
【００１３】
また、請求項３に記載のレンジフードは、請求項１または２に記載のレンジフードにおいて、前記第１のセンサは、前記ガスコンロのバーナー近傍の領域を第１の監視領域として炎を検出し、前記第２のセンサは、前記第１の監視領域の上方にある領域を第２の監視領域として炎を検出すること、を特徴とする。
【００１４】
また、請求項４に記載のレンジフードは、請求項１から３のいずれか一項に記載のレンジフードにおいて、前記処理手段は、前記第１のセンサによる炎の検出が所定時間継続した場合、及び又は、前記第２のセンサによる炎の検出があった場合に、所定の処理を行うこと、を特徴とする。
【００１５】
また、請求項５に記載のレンジフードは、請求項１から４のいずれか一項に記載のレンジフードにおいて、前記処理手段は、警報処理を行うこと、を特徴とする。
【００１６】
また、請求項６に記載のレンジフードは、請求項１から５のいずれか一項に記載のレンジフードにおいて、当該レンジフードと前記ガスコンロとの間で通信処理を行う通信手段を備え、前記処理手段は、前記通信手段を介してガスコンロの消火処理を行うこと、を特徴とする。
【発明の効果】
【００１７】
この発明によれば、ガスコンロにて使用されている炎を検出するための第１のセンサと、火災による炎を検出するための第２のセンサとを備えているので、処理手段は、第１のセンサからの情報に基づいてガスコンロの火の消し忘れを検出し、これに対する所定の処理を行うことができる。また、第２のセンサによって、火災による炎をガスコンロにて使用されている炎と区別して検出することができる。これにより、火災発生を迅速に検出し、所定の処理を行うこともできる。
【００１８】
また、この発明によれば、ガスコンロにて使用されている炎を検出するための第１のセンサとして紫外線式炎センサを用いているので、ガスコンロにて使用されている青い色の炎に範囲を限定して炎を確実に検出できる。さらに、火災による炎を検出するための第２のセンサとして赤外線式炎センサを用いているので、ガスコンロの炎と区別して確実に火災による炎を検出できる。
【００１９】
また、この発明によれば、第１のセンサはガスコンロのバーナー近傍の第１の監視領域における炎を検出するので、ガスコンロにて使用されている炎を確実に検出することができる。一方、第２のセンサは第１の監視領域の上方にある第２の監視領域における炎を検出するので、ガスコンロにて使用されている炎は検出せず、火災時においてコンロ上の調理器具から上方に向かって立ち上がる炎のみを確実に検出することができる。
【００２０】
また、この発明によれば、処理手段は、第１のセンサによる炎の検出が所定の時間継続した場合において、ガスコンロの火が消し忘れの状態にあると判定し、所定の処理を行う。従って、ガスコンロの火の消し忘れに起因する火災の発生を未然に防ぐことができる。また、処理手段は、第２のセンサによって炎が検出された場合において、火災が発生していると判定し、所定の処理を行う。従って、火災の発生を迅速に検出しそれに対する処理を行うことができる。
【００２１】
また、この発明によれば、処理手段の警報処理に基づいて出力される警報によって、ガスコンロの消火や火災に対する消火活動の必要性を迅速に通知することができる。
【００２２】
また、この発明によれば、ガスコンロの火の消し忘れや火災の発生が検出された場合に、通信手段を介してガスコンロの消火制御を行うことができるので、自動的にガスコンロの消火を行うことができる。これにより、火災発生の可能性を著しく低減することができ、火災発生時においては被害を最小限に抑制することができる。
【発明を実施するための最良の形態】
【００２３】
以下に添付図面を参照して、この発明に係るレンジフードの各実施の形態を詳細に説明する。まず、〔Ｉ〕各実施の形態に共通の基本的概念を説明した後、〔II〕各実施の形態の具体的内容について説明し、〔III〕最後に、各実施の形態に対する変形例について説明する。ただし、各実施の形態によって本発明が限定されるものではない。
【００２４】
〔Ｉ〕各実施の形態に共通の基本的概念
まず、各実施の形態に共通の基本的概念について説明する。本発明に係るレンジフードは、コンロの上方に設置され、主に調理中に発生する油煙や燃焼ガス、水蒸気等を屋外に排気するために用いられるものである。
【００２５】
レンジフードの具体的な種類や形態は任意であり、壁に接して取り付けられるものや、天井から吊り下げて取り付けられるものを含む。また、レンジフードの設置対象は任意であり、例えば、一般住宅のキッチンや、レストランの厨房等に設置することができる。
【００２６】
各実施の形態に係るレンジフードの特徴は、概略的に、ガスコンロにて使用されている炎を検出するための第１のセンサと、火災による炎を検出するための第２のセンサとを備えている点にある。従って、第１のセンサによってガスコンロの火の消し忘れを検出し、警報出力やガスコンロの消火を行うことが可能である。また、第２のセンサによって、火災による炎をガスコンロにて使用されている炎と区別して検出することで、火災発生を迅速に検出し、警報出力やガスコンロの消火を行うこともできる。
【００２７】
〔II〕各実施の形態の具体的内容
次に、本発明に係る各実施の形態の具体的内容について説明する。
【００２８】
〔実施の形態１〕
まず実施の形態１について説明する。この形態は、互いに異なる監視領域にて炎を検出する紫外線式炎センサと赤外線式炎センサとを備え、ガスコンロの火の消し忘れや火災を検出した場合に警報処理を行う基本的な形態である。
【００２９】
（レンジフードの構成）
まず、レンジフードの構成を説明する。図１は実施の形態１に係るレンジフードの外観を示す斜視図、図２はレンジフードの電気的構成を機能概念的に示すブロック図である。図１及び図２に示すように、レンジフード１はガスコンロ２の上方に配置され、紫外線式炎センサ１０、赤外線式炎センサ１１、警報出力部１２、表示部１３、操作部１４、排気ファン１５、及び、制御部１６を備えている。
【００３０】
（レンジフードの構成−紫外線式炎センサ１０）
紫外線式炎センサ１０は、炎から放射される光に含まれる紫外線を検出することにより炎を検出するものであり、特許請求の範囲における第１のセンサに対応している。紫外線式炎センサ１０は、炎から発生する微量の紫外線を検出することができるため、ガスコンロ２にて使用されている炎のように、範囲が限定され大きな揺らぎのない炎の検出にも適している。紫外線式炎センサ１０の設置位置は任意であるが、照明灯等から放射される光に含まれている紫外線が紫外線式炎センサ１０に入射することにより外乱要因となることを防ぐため、紫外線式炎センサ１０はこれらの光が届かないレンジフード１の内側面に設置されることが望ましい。紫外線式炎センサ１０の具体的な構成については、公知技術であるので説明を省略する。
【００３１】
（レンジフードの構成−赤外線式炎センサ１１）
赤外線式炎センサ１１は、燃焼ガス中に含まれる高温の二酸化炭素から共鳴放射される赤外線を検出することにより火災による炎を検出するものであり、特許請求の範囲における第２のセンサに対応している。赤外線式炎センサ１１の設置位置は任意であるが、太陽光に含まれる赤外線が赤外線式炎センサ１１に入射することにより外乱要因となることを防ぐため、赤外線式炎センサ１１は太陽光の届かないレンジフード１の内側面に設置されることが望ましい。また、白熱球などによる炎の誤検出を防止するため、炎のゆらぎを検出したり、赤外線の複数の波長を検出して炎を判断してもよい。赤外線式炎センサ１１の具体的な構成については、公知技術であるので説明を省略する。
【００３２】
なお、紫外線式炎センサ１０及び赤外線式炎センサ１１のそれぞれにおける監視領域についての詳細は後述する。
【００３３】
（レンジフードの構成−警報出力部１２）
警報出力部１２は、ガスコンロ２の火の消し忘れや火災発生に関する警報を出力するためのものであり、後述する制御部１６によって制御される。なお、警報出力部１２の設置場所は任意であるが、調理者等に警報が認識されやすい場所であることが望ましく、例えば、レンジフード１の外表面に設置される。また、警報出力部１２によって出力される警報の具体的な態様は任意であり、例えば、音声や画面表示によって出力させてもよい。
【００３４】
（レンジフードの構成−表示部１３）
表示部１３は、レンジフード１の動作状態やガスコンロ２の使用状態を表示するものであり、レンジフード１の外表面に設置されている。また、表示部１３は後述する制御部１６によって制御される。表示部１３に表示させる具体的な内容は任意であるが、排気ファン１５の動作状態や、ガスコンロ２の点火状態、点火時間等を表示させても良い。
【００３５】
（レンジフードの構成−操作部１４）
操作部１４は、レンジフード１に対する操作を受け付ける部分であり、レンジフード１の外表面に設置されている。レンジフード１に対する操作項目の具体的な内容は任意であるが、例えば、後述する排気ファン１５の作動や、警報出力の停止等に関する操作項目を含めることができる。
【００３６】
（レンジフードの構成−排気ファン１５）
排気ファン１５は、ガスコンロ２の使用に伴い発生する燃焼ガスや油煙、又は、水蒸気等を排気するためのものであり、レンジフード１の内部に設置されている。排気ファン１５は、操作部１４に対する操作入力や、制御部１６による制御動作によって制御される。なお、排気ファン１５の具体的な構成については公知技術であるため、説明を省略する。
【００３７】
（レンジフードの構成−制御部１６）
制御部１６は、レンジフード１における各種の処理を実施するためのものであり、特許請求の範囲における処理手段に対応している。制御部１６は、機能概念的には検出処理部１６０、警報処理部１６１、ファン制御部１６２、及び、タイマー１６３を備えている。検出処理部１６０は、紫外線式炎センサ１０又は赤外線式炎センサ１１の少なくとも一方からの検出情報に基づいて、ガスコンロ２の火の消し忘れや火災の発生の有無を判定し、この判定に基づく処理を行うためのものである。警報処理部１６１は、ガスコンロ２の火の消し忘れや火災の発生が検出された場合に、検出処理部１６０からの指示に基づいて警報処理を行う。ファン制御部１６２は、操作部１４や検出処理部１６０からの指示に基づいて排気ファン１５の制御を行う。タイマー１６３は、ガスコンロ２の点火継続時間を計測するために用いられるもので、検出処理部１６０により制御される。なお、制御部１６の具体的構成は任意であるが、例えば、ＯＳ（Ｏｐｅｒａｔｉｎｇ Ｓｙｓｔｅｍ）などの制御プログラム、各種の処理手順などを規定したプログラム、所要データを格納するための内部メモリ、及び、これらのプログラムを実行するＣＰＵ（Ｃｅｎｔｒａｌ Ｐｒｏｃｅｓｓｉｎｇ Ｕｎｉｔ）を備えて構成される。
【００３８】
（紫外線式炎センサ１０及び赤外線式炎センサ１１の監視領域）
次に、紫外線式炎センサ１０及び赤外線式炎センサ１１の監視領域について説明する。図３は、紫外線式炎センサ１０及び赤外線式炎センサ１１の監視領域を併せて示したレンジフード１を示す図であり、図３（ａ）はレンジフード１の正面図、図３（ｂ）はレンジフード１の側面図である。
【００３９】
図３に示すように、紫外線式炎センサ１０はガスコンロ２のバーナー２０近傍の紫外線監視領域１０ａにおける炎を検出する。ここで、紫外線監視領域１０ａは特許請求の範囲における第１の監視領域に対応している。ガスコンロ２にて使用される炎が発生する領域は、ガスコンロ２のバーナー２０近傍に限定されている。従って、紫外線監視領域１０ａをバーナー２０の近傍の領域に限定することにより、ガスコンロ２にて使用されている炎を確実に検出することができる。
【００４０】
また、赤外線式炎センサ１１は紫外線監視領域１０ａの上方にある赤外線監視領域１１ａにおける炎を検出する。赤外線監視領域１１ａは、特許請求の範囲における第２の監視領域に対応している。ガスコンロ２にて調理中に火災が発生した場合、炎は主としてガスコンロ２上の調理器具から上方に向かって立ち上がる。従って、赤外線監視領域１１ａを紫外線監視領域１０ａの上方の領域に限定することで、ガスコンロ２にて使用されている炎は検出せず、火災による炎のみを確実に検出することができる。
【００４１】
（レンジフードによる火災監視制御の流れ）
次に、レンジフード１による火災監視制御の流れについて説明する。図４は火災監視制御の流れを示したフローチャートである。
【００４２】
図４に示すように、まず、検出処理部１６０は紫外線式炎センサ１０によって炎が検出されたか否かを判定する（ステップＳＡ−１）。炎が検出された場合（ステップＳＡ−１、Ｙｅｓ）、検出処理部１６０はガスコンロ２が点火されたと判定し、タイマー１６３を起動する。さらに、表示部１３に対して点火表示及び継続点火時間表示を指示する（ステップＳＡ−２）。
【００４３】
続いて、検出処理部１６０は、紫外線式炎センサ１０による炎の検出が停止したか否かを判定する（ステップＳＡ−３）。炎の検出が停止した場合（ステップＳＡ−３、Ｙｅｓ）、検出処理部１６０はガスコンロ２が消火されたと判定し、タイマー１６３を停止させる。さらに、表示部１３に対して点火表示及び継続点火時間表示の停止を指示する（ステップＳＡ−４）。
【００４４】
一方、紫外線式炎センサ１０による炎の検出が停止していない場合（ステップＳＡ−３、Ｎｏ）、検出処理部１６０はガスコンロ２が継続点火中と判定し、赤外線式炎センサ１１による炎の検出の有無を判定する（ステップＳＡ−５）。炎が検出されない場合（ステップＳＡ−５、Ｎｏ）、検出処理部１６０は火災は発生していないと判定する。
【００４５】
次に、検出処理部１６０はタイマー１６３を参照し、ガスコンロ２の点火時から所定の時間が経過したか否かを判定する（ステップＳＡ−６）。所定の時間が経過していない場合（ステップＳＡ−６、Ｎｏ）、検出処理部１６０は再び紫外線式炎センサ１０による炎の検出の有無を判定する（ステップＳＡ―３）。所定の時間が経過している場合（ステップＳＡ−６、Ｙｅｓ）、検出処理部１６０はガスコンロ２の火が消し忘れの状態にあると判定し、警報処理部１６１に対して継続点火の警報処理を指示する。警報処理部１６１は、検出処理部１６０からの指示に基づいて、警報出力部１２に継続点火警報を音声や画面表示にて出力させる（ステップＳＡ−７）。さらに警報処理部１６１は、操作部１４に対する警報停止操作の有無を判定し（ステップＳＡ−８）、警報停止操作があった場合には（ステップＳＡ−８、Ｙｅｓ）、警報出力部１２に対して警報出力を停止させる（ステップＳＡ−９）。また、警報停止が行われた場合、検出処理部１６０はタイマー１６３の再起動を行う（ステップＳＡ−１０）。その後、検出処理部１６０は紫外線式炎センサ１０による炎の検出の判定を再開する（ステップＳＡ―３）。
【００４６】
一方、赤外線式炎センサ１１によって炎が検出された場合（ステップＳＡ−５、Ｙｅｓ）、検出処理部１６０は火災が発生していると判定し、警報処理部１６１に対して火災の警報処理を指示する。警報処理部１６１は、検出処理部１６０からの指示に基づいて、警報出力部１２に火災警報を出力させる（ステップＳＡ−１１）。さらに警報処理部１６１は、操作部１４に対する警報停止操作の有無を判定し（ステップＳＡ−１２）、警報停止操作があった場合には（ステップＳＡ−１２、Ｙｅｓ）、警報出力部１２に対して警報出力を停止させる（ステップＳＡ−１３）。また、警報停止が行われた場合、検出処理部１６０はタイマー１６３の再起動を行う（ステップＳＡ−１４）。その後、検出処理部１６０は紫外線式炎センサ１０による炎の検出の判定を再開する（ステップＳＡ―３）。
【００４７】
（実施の形態１の効果）
このように実施の形態１によれば、ガスコンロ２にて使用されている炎を検出するための紫外線式炎センサ１０と、火災による炎を検出するための赤外線式炎センサ１１とを備えているので、紫外線式炎センサ１０からの情報に基づいてガスコンロ２の火の消し忘れを検出し、これに対する警報出力を行うことができる。また、赤外線式炎センサ１１によって、火災による炎をガスコンロ２にて使用されている炎と区別して検出することができる。これにより、火災発生を迅速に検出し、火災警報出力を行うこともできる。
【００４８】
また、ガスコンロ２にて使用されている炎を検出するためのセンサとして紫外線式炎センサ１０を用いているので、ガスコンロ２にて使用されている炎のように、範囲が限定され大きな揺らぎのない炎を確実に検出できる。さらに、火災による炎を検出するためのセンサとして赤外線式炎センサ１１を用いているので、人工照明の存在には影響されずに確実に火災による炎を検出できる。
【００４９】
また、紫外線式炎センサ１０はガスコンロ２のバーナー２０近傍の紫外線監視領域１０ａにおける炎を検出するので、ガスコンロ２にて使用されている炎を確実に検出することができる。一方、赤外線式炎センサ１１は紫外線監視領域１０ａの上方にある赤外線監視領域１１ａにおける炎を検出するので、ガスコンロ２にて使用されている炎は検出せず、火災時においてガスコンロ２上の調理器具から上方に向かって立ち上がる炎のみを確実に検出することができる。
【００５０】
また、制御部１６は、紫外線式炎センサ１０による炎の検出が所定の時間継続した場合において、ガスコンロ２の火が消し忘れの状態にあると判定し、継続点火警報を出力させるための処理を行う。従って、ガスコンロ２の火の消し忘れに起因する火災の発生を未然に防ぐことができる。また、制御部１６は、赤外線式炎センサ１１によって炎が検出された場合において、火災が発生していると判定し、火災警報を出力させるための処理を行う。従って、火災の発生を迅速に検出し警報を行うことができる。さらに、制御部１６の処理に基づいて出力されたこれらの警報によって、ガスコンロ２の消火や火災に対する消火活動の必要性を迅速に通知することができる。
【００５１】
〔実施の形態２〕
次に、実施の形態２について説明する。この形態は、通信手段を介してレンジフードからガスコンロの制御を行う形態である。
【００５２】
（レンジフードの構成）
まず、レンジフードの構成を説明する。図５は、実施の形態２に係るレンジフードの電気的構成を機能概念的に示したブロック図である。なお、実施の形態２に係るレンジフードの構成は、特記する場合を除いて実施の形態１の構成と略同一であり、実施の形態１の構成と略同一の構成についてはこの実施の形態１で用いたのと同一の符号及び／又は名称を必要に応じて付して、その説明を省略する。
【００５３】
（レンジフードの構成−通信部１７）
図５に示すように、レンジフード１は紫外線式炎センサ１０、赤外線式炎センサ１１、警報出力部１２、表示部１３、操作部１４、排気ファン１５、及び、制御部１６に加えて、通信部１７を備えている。通信部１７は、レンジフード１とガスコンロ２との間で通信を行うためのものであり、特許請求の範囲における通信手段に対応している。通信部１７の具体的な構成は任意であり、例えば、赤外線通信装置を用いて赤外線通信を行わせることができる。あるいは、他の無線通信装置を用いてもよく、有線接続にて通信を行なわせてもよい。
【００５４】
（レンジフードの構成−制御部１６）
また、制御部１６は、コンロ消火制御部１６４を備えている。コンロ消火制御部１６４は、検出処理部１６０からの指示に基づき、上述の通信部１７を介してガスコンロ２の消火制御を行う。以下、コンロ消火制御部１６４によるガスコンロ２に対する消火制御の流れについて説明する。
【００５５】
（ガスコンロ消火制御の流れ）
図６は、ガスコンロに対する消火制御の流れを示すフローチャートである。図６に示すように、まず、検出処理部１６０は紫外線式炎センサ１０によって炎が検出されたか否かを判定する（ステップＳＢ−１）。炎が検出された場合（ステップＳＢ−１、Ｙｅｓ）、検出処理部１６０はガスコンロ２が点火されたと判定し、タイマー１６３を起動する。さらに、表示部１３に対して点火表示及び継続点火時間表示を指示する（ステップＳＢ−２）。
【００５６】
続いて、検出処理部１６０は、紫外線式炎センサ１０による炎の検出が停止したか否かを判定する（ステップＳＢ−３）。炎の検出が停止した場合（ステップＳＢ−３、Ｙｅｓ）、検出処理部１６０はガスコンロ２が消火されたと判定し、タイマー１６３を停止させる。さらに、表示部１３に対して点火表示及び継続点火時間表示の停止を指示する（ステップＳＢ−４）。
【００５７】
一方、紫外線式炎センサ１０による炎の検出が停止していない場合（ステップＳＢ−３、Ｎｏ）、検出処理部１６０はガスコンロ２が継続点火中と判定し、赤外線式炎センサ１１による炎の検出の有無を判定する（ステップＳＢ−５）。炎が検出されない場合（ステップＳＢ−５、Ｎｏ）、検出処理部１６０は火災は発生していないと判定する。
【００５８】
次に、検出処理部１６０はタイマー１６３を参照し、ガスコンロ２の点火時から所定の時間が経過したか否かを判定する（ステップＳＢ−６）。所定の時間が経過していない場合（ステップＳＢ−６、Ｎｏ）、検出処理部１６０は再び紫外線式炎センサ１０による炎の検出の有無を判定する（ステップＳＢ―３）。所定の時間が経過している場合（ステップＳＢ−６、Ｙｅｓ）、検出処理部１６０はガスコンロ２の火が消し忘れの状態にあると判定し、警報処理部１６１に対して継続点火の警報処理を指示する。警報処理部１６１は、検出処理部１６０からの指示に基づいて、警報出力部１２に継続点火警報を音声や画面表示にて出力させる（ステップＳＢ−７）。続いて、検出処理部１６０は、コンロ消火制御部１６４に対してガスコンロ２の消火制御の実施を指示する。コンロ消火制御部１６４は、検出処理部１６０からの指示に基づいて、通信部１７にコンロ消火制御信号を出力させる（ステップＳＢ−８）。ガスコンロ２は、コンロ消火制御信号を受信すると、当該ガスコンロ２の消火を行なう。次に、警報処理部１６１は、操作部１４に対する警報停止操作の有無を判定し（ステップＳＢ−９）、警報停止操作があった場合には（ステップＳＢ−９、Ｙｅｓ）、警報出力部１２に対して警報出力を停止させる（ステップＳＢ−１０）。警報停止が行われた後、検出処理部１６０は表示部１３に対して点火表示及び継続点火時間表示の停止を指示する（ステップＳＢ−４）。
【００５９】
一方、赤外線式炎センサ１１によって炎が検出された場合（ステップＳＢ−５、Ｙｅｓ）、検出処理部１６０は火災が発生していると判定し、警報処理部１６１に対して火災の警報処理を指示する。警報処理部１６１は、検出処理部１６０からの指示に基づいて、警報出力部１２に火災警報を出力させる（ステップＳＢ−１１）。さらに検出処理部１６０は、コンロ消火制御部１６４に対してガスコンロ２の消火制御の実施を指示する。コンロ消火制御部１６４は、検出処理部１６０からの指示に基づいて、通信部１７にコンロ消火制御信号を出力させる（ステップＳＢ−１２）。ガスコンロ２は、コンロ消火制御信号を受信すると、当該ガスコンロ２の消火を行なう。次に、警報処理部１６１は、操作部１４に対する警報停止操作の有無を判定し（ステップＳＢ−１３）、警報停止操作があった場合には（ステップＳＢ−１３、Ｙｅｓ）、警報出力部１２に対して警報出力を停止させる（ステップＳＢ−１４）。その後、検出処理部１６０は表示部１３に対して点火表示及び継続点火時間表示の停止を指示する（ステップＳＢ−４）。
【００６０】
（実施の形態２の効果）
このように実施の形態２によれば、ガスコンロ２の火の消し忘れや火災の発生が検出された場合に、通信部１７を介してガスコンロ２の消火制御を行うことができるので、警報出力によってガスコンロ２の消火や火災に対する消火活動の必要性を通知するだけでなく、自動的にガスコンロ２の消火を行うことができる。これにより、火災発生の可能性を著しく低減することができ、火災発生時においては被害を最小限に抑制することができる。
【００６１】
〔III〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００６２】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６３】
（処理について）
実施の形態１又は実施の形態２では、制御部１６は、火災が発生していると判定した場合において、警報出力処理又はガスコンロ２の消火処理を行っている。これに加えて、制御部１６に、排気ファン１５の停止制御を行なわせることもできる。すなわち、検出処理部１６０にて火災が発生したと判断された場合には、検出処理部１６０がファン制御部１６２に対して排気ファン１５の停止制御を行なうように指示し、検出処理部１６０の指示に基づいてファン制御部１６２が排気ファン１５を停止させるようにしてもよい。これにより、火災の炎に対する酸素供給の低減や、排気ファン１５に接続されている排気ダクトへの延焼防止を実現することができる。
【００６４】
あるいは、レンジフード１近傍に図示しない消火剤タンクを設置し、火災発生時には制御部１６からの指示によって消火剤タンクに貯蔵されている消火剤を放出させるようにしてもよい。これにより、初期火災の段階で確実に火災を消火することができ、被害の拡大を防止することができる。
【００６５】
図６のフローチャートのステップＳＢ−６で、継続点火時間が所定時間経過したときに、ステップＳＢ−８でコンロの消火制御を行うようにしているが、消火制御は継続点火警報後すぐに行う必要はなく、警報してから所定時間以内にコンロの停止操作もしくは警報停止操作がされなかった場合に、コンロの自動消火制御を行うようにしてもよい。この方法であれば、長時間加熱が必要な調理の場合に不必要に消火制御を行うことを防ぐことができる。
【００６６】
また、実施の形態１又は実施の形態２では、制御部１６は、ガスコンロ２の火が消し忘れの状態にあると判定した場合、又は、火災が発生していると判定した場合において、警報処理やガスコンロ２の消火処理を行っているが、ガスコンロ２の火の消し忘れと火災との両方を検出した場合にこれらの処理を行うようにしてもよい。
【産業上の利用可能性】
【００６７】
この発明に係るレンジフードは、ガスコンロの上方に設置されるレンジフードに適用でき、火災の発生を監視する機能を有するレンジフードに有用である。
【図面の簡単な説明】
【００６８】
【図１】本発明の実施の形態１に係るレンジフードの外観を示す斜視図である。
【図２】レンジフードの電気的構成を機能概念的に示すブロック図である。
【図３】紫外線式炎センサ１０及び赤外線式炎センサ１１の監視領域を併せて示したレンジフード１を示す図であり、図３（ａ）はレンジフード１の正面図、図３（ｂ）レンジフード１の側面図である。
【図４】火災監視制御の流れを示したフローチャートである。
【図５】実施の形態２に係るレンジフードの電気的構成を機能概念的に示したブロック図である。
【図６】ガスコンロに対する消火制御の流れを示すフローチャートである。
【符号の説明】
【００６９】
１  レンジフード
１０  紫外線式炎センサ
１０ａ  紫外線監視領域
１１  赤外線式炎センサ
１１ａ  赤外線監視領域
１２  警報出力部
１３  表示部
１４  操作部
１５  排気ファン
１６  制御部
１６０  検出処理部
１６１  警報処理部
１６２  ファン制御部
１６３  タイマー
１６４  コンロ消火制御部
１７  通信部
２  ガスコンロ
２０  バーナー
【図１】
2008215718.tif 000003
【図２】
2008215718.tif 000004
【図３】
2008215718.tif 000005
【図４】
2008215718.tif 000006
【図５】
2008215718.tif 000007
【図６】
2008215718.tif 000008